(57)【特許請求の範囲】
【請求項１】
下面開口した上セードを有する灯具と、前記上セードの開口内に配設されるランプソケットに着脱自在に装着されるランプと、前記ランプのランプピンを装着するランプソケットとを備えた照明器具において、前記ランプソケットは、回転自在に設けられるものであり、ランプソケットからの電線をランプソケットの後方から上セードの内壁面に略沿う方向で引き回すことにより、同電線の張力によってランプソケットをそのランプ装着面が下方を向くように付勢したことを特徴とする照明器具。
【請求項２】
前記上セードの下面開口の一部を覆うように下セードを備え、前記ランプソケットは、前記下セードに設けられることを特徴とする請求項１記載の照明器具。
【請求項３】
前記ランプソケットは、前記下セードに設けたソケット台上であってランプソケットの回転軸を中心にして回転自在に設けられることを特徴とする請求項２記載の照明器具。
【請求項４】
前記下セードの側面と前記ランプソケット端部との距離は、前記ランプが前記灯具に装着された状態の方が、前記ランプが前記灯具から取り外される状態よりも大きいことを特徴とする請求項１記載の照明器具。
【請求項５】
前記ランプは片口金蛍光灯であることを特徴とする請求項１乃至請求項４のいずれかに記載の照明器具。
【請求項６】
下面開口した上セードを有する灯具と、前記上セードの開口内に配設されるランプソケットに着脱自在に装着されるランプと、前記ランプのランプピンを装着するランプソケットとを備えた電気スタンドにおいて、前記ランプソケットは、その回転軸を中心にして回転自在に設けられるものであり、ランプソケットからの電線をランプソケットの後方から上セードの内壁面に略沿う方向で引き回すことにより、同電線の張力によってランプソケットをそのランプ装着面が下方を向くように付勢したことを特徴とする電気スタンド。
【発明の詳細な説明】
【０００１】
【発明の属する利用分野】
本発明は照明器具に関するものであり、更に詳しくは電気スタンドに関する。
【０００２】
【従来の技術】
本発明に係る従来例の電気スタンドとしては、片口金蛍光灯が着脱自在に装着されるランプソケットを備えた灯具と、その先端部分に灯具が嵌着される支柱と、支柱の基端が固定されて机上等に載置されるベースとで構成されたものがある。これは、片口金蛍光灯の口金全体を保持する保持具と、片口金蛍光灯の先端を支持するランプ支持バネとにより、片口金蛍光灯を灯具の下面開口内に配置するものである。
【０００３】
【発明が解決しようとする課題】
しかし、前記従来例には以下に示す様な問題点が生じてしまう。
【０００４】
前記従来例では、片口金蛍光灯の口金全体を保持する保持具を必要としたので、灯具全体の大型化を招いてしまい、また、灯具ひいては照明器具全体の美観を損ない、デザインバリエーションの展開に制約を与えてしまう。
【０００５】
本発明は前記全ての問題点に鑑みてなされたもので、その目的とするところは、片口金蛍光灯の口金全体を保持する保持具が不要で、ソケットの小型化が可能な照明器具を提供することである。
【０００６】
【課題を解決するための手段】
前記問題点を解決するために、請求項１記載の発明によれば、下面開口した上セードを有する灯具と、上セードの開口内に配設されるランプソケットに着脱自在に装着されるランプと、ランプのランプピンを装着するランプソケットとを備えた照明器具において、ランプソケットは回転自在に設けられるものであり、ランプソケットからの電線をランプソケットの後方から上セードの内壁面に略沿う方向で引き回すことにより、同電線の張力によってランプソケットをそのランプ装着面が下方を向くように付勢したことを特徴とする。
【０００７】
請求項２記載の発明によれば、請求項１記載の照明器具において、上セードの下面開口の一部を覆うように下セードを備え、ランプソケットは下セードに設けられることを特徴とする。
【０００８】
請求項３記載の発明によれば、請求項２記載の照明器具において、ランプソケットは、下セードに設けたソケット台上であってランプソケットの回転軸を中心にして回転自在に設けられることを特徴とする。
【０００９】
請求項４記載の発明によれば、請求項１記載の照明器具において、下セードの側面とランプソケット端部との距離は、ランプが灯具に装着された状態の方が、ランプが灯具から取り外される状態よりも大きいことを特徴とする。
【００１０】
請求項５記載の発明によれば、請求項１乃至請求項４のいずれかに記載の照明器具において、ランプは片口金蛍光灯であることを特徴とする。
【００１１】
請求項６記載の発明によれば、下面開口した上セードを有する灯具と、上セードの開口内に配設されるランプソケットに着脱自在に装着されるランプと、ランプのランプピンを装着するランプソケットとを備えた電気スタンドにおいて、ランプソケットは、その回転軸を中心にして回転自在に設けられるものであり、ランプソケットからの電線をランプソケットの後方から上セードの内壁面に略沿う方向で引き回すことにより、同電線の張力によってランプソケットをそのランプ装着面が下方を向くように付勢したことを特徴とする。
【００１２】
【実施の形態】
本発明に係る実施の形態の全体斜視図を図１に、その分解斜視図を図２に、その正面図を図３（ａ）に、その右側面図を図３（ｂ）に、その動作説明図の正面図を図４に、その灯具の下面図を図５、片口金蛍光灯４（以下、ランプ４と呼ぶ。）を照明器具に装着した状態での正面要部断面図を図６に、その状態での灯具５の要部断面側面図を図７に、ランプ４を照明器具から取り外す状態での正面要部断面図を図８に、その状態での灯具５の要部断面側面図を図９に示す。
【００１３】
以下、図１乃至図９を参照して説明する。
【００１４】
この電気スタンドは、ランプ４が着脱自在に装着されるランプソケット（以下、ソケットと呼ぶ。）１３を備えた灯具５と、その先端部分に灯具５が嵌着される支柱３と、支柱３の基端が固定されて机上等に載置されるベース１とで構成されるものである。
【００１５】
ベース１には先端に電源プラグを備える電源コード９が設けられており、電源プラグと電源コード９とを介して供給される商用電源は、ランプ４を点滅させるためのタッチ式のスイッチ２を介して、ベース１に納装されている点灯回路２７に供給されるとともに、アーム２２の内部に挿通された電線４０によりソケット１３及びランプ４へと供給される。灯具５は、上セード１１、下セード１２、反射板１５、ソケット１３等からなり、上セード１１の開口下面を略覆う様に下セード１２と金属製の反射板１５とが配設されている。下セード１２と反射板１５とは、上セード１１の内壁面であってその短手方向に略平行に設けたリブ３２によって位置決めされる。上セード１１の背面（図２中の支柱３側）略中央には穴部３１が設けられている。上セード１１の下面には３つのネジ受け部が設けられ、２つのねじ１７を下セード１２に設けた貫通穴３３を介してネジ受け部３８にねじ込むことにより下セード１２を上セード１１の下面側に固定配置している。また、１つのねじ１８をランプ支持バネ１６に設けた貫通穴及び反射板１５に設けた貫通穴を介してネジ受け部にねじ込むことにより反射板１５、ランプ支持バネ１６を上セード１１の下面側に固定配置している。
【００１６】
反射板１５はランプ４の光を灯具５の下方へ反射するものである。ソケット１３は下セード１２に設けたソケット台３４に設置される。
【００１７】
支柱３は、内部に電線４０を通線可能なアーム２２が挿入されており、アーム２２を納装するように樹脂製のパイプで覆われている。その樹脂製パイプは、灯具５に近い上半分側１０がフレシキブルパイプ状になっており、その部分１０を伸縮することにより灯具５を自在に動かすことができる。
【００１８】
ベース１は、その一部に略半円筒状の凸部８を設けてなる底面開口のカバー３０と、カバー３０の底面側を覆うように設けられる底板２５とからなる。底板２５は、底板２５に設けたネジ穴を介してカバー３０の内壁面に設けたネジ受部（図示せず）にネジ２８をねじ込むことによりカバー３０に固定される。底板２５には、点灯ブロック２７とスイッチ２とが絶縁板を介してネジで固定されている。また、底板２５に設けた穴部から臨むように転倒スイッチ２６が設けられている。カバー３０の背面側（図２中の支柱３側）には、アーム２２の下端部が貫通する貫通穴２３が形成され、アーム２２の基端部に形成されたネジ部を貫通穴２３に貫通させてから、カバー３０の内部でアーム２２のネジ部にナット及びワッシャ４３を螺着させることにより、アーム２２（及び支柱３）をベース１に固定する。
【００１９】
スイッチ２は、凸部８に設けた穴部２４から臨むように設けられ、スイッチ２をオンオフすることによりランプ４を点滅させるものである。転倒スイッチ２６は、転倒スイッチ２６がオフされる程度に照明器具が傾くと、ランプ４を消灯させるものである。
【００２０】
アーム２２の先端部には、取付金具２０が上セード１１の短手方向に略平行な向きに装着されている。この取付金具２０は、略板状の板金を略階段状に曲折し、２つの平面の各々の略中央にはネジ穴が設けられてなる。また、上セード１１の内壁面略中央には、支持金具１４が、上セード１１の長手方向に略平行な向きにネジ１９により装着されている。この支持金具１４は、略板状の板金であり、３つのネジ穴が略等間隔で設けられ、両端の２つのネジ穴は、支持金具１４を上セード１１の内壁面に装着する為のものである。
【００２１】
そして、取付金具２０の先端側に設けたネジ穴と支持金具１４の略中央に設けたネジ穴とを介して、上セード１１の内壁面に設けたネジ受け部（図示しない）にネジ２１をねじ込むことにより、取付金具２０と支持金具１４とを互いに固定する。また、取付金具２０の他方のネジ穴を介して上セード１１の支柱３近くの内壁面に設けたネジ受け部（図示しない）にネジ２１をねじ込む。よって、取付金具２０の先端部を上セード１１の内壁面に固定することができ、取付金具２０及び支持金具１４を介して、支柱３の先端部に灯具５を安定して嵌着することができる。
【００２２】
ソケット１３には回転軸４１が設けられ、下セード１２の下面にはソケット１３が露出するように切り欠き部が設けられ、回転軸４１がソケット台３４上に設けた凹部に位置することにより、ソケット１３は図５に示す矢印方向に回動自在に回転する。
【００２３】
ここで、ランプ４が灯具５に装着された状態、つまり、ランプ４のランプピン７がソケット１３に装着され且つランプ４の先端近傍がランプ支持バネ１６で支持された状態での、下セード１２の側面とソケット１３の端部（つまり、ランプ口金６の端部）との距離をＬ１とする。また、ランプ４が灯具５から取り外される状態、つまり、ソケット１３が下方に回転し且つランプ４の先端近傍がランプ支持バネ１６から外れた状態での、下セード１２の側面とソケット１３の端部（つまり、ランプ口金６の端部）との距離をＬ２とする。このＬ２をＬ１よりも小さくすることにより、ソケット１３を下方に回転させたとき、ランプ口金６が下セード１２の側面（ここでは下セード１２の角部）に当接するので、ランプピン７がソケット１３から抜ける方向にランプ４が動き、ランプ交換を助長することができる。また、ランプ４が装着されていない状態でソケット１３を下方に回転させると、ソケット１３の出代が少なくなるので、ソケット１３の収まり状態が良く見える。また、電線４０をソケット１３の後方から上セード１１の内壁面に略沿う方向で引き回すことにより、電線４０の張力を用いて、ランプ４の取り外し時にソケット１３のランプ装着面を常に下方に、つまり作業者が見えやすい方向に維持しておくことができるので、バネなどの特別な部品を設けること無く、ランプ４の装着作業が簡単になる。
【００２４】
以上の様に構成することで、特別な部品を用いず、組み立てが簡単であり、片口金蛍光灯の口金全体を保持する保持具が不要でソケットの小型化が可能となる。
【００２５】
なお、本発明に適応するものであれば、照明器具の構造は前述のものに限らず何でも良い。
【００２６】
【発明の効果】
請求項１乃至請求項６に記載の発明によれば、片口金蛍光灯の口金全体を保持する保持具が不要で、ソケットの小型化が可能な照明器具を提供できる。また、ランプの取り外し時にランプソケットのランプ装着面を常に下方に、つまり作業者が見えやすい方向に維持しておくことができるので、バネなどの特別な部品を設けること無く、ランプの装着作業が簡単になる。
【図面の簡単な説明】
【図１】本発明に係る照明器具の斜視図を示す。
【図２】本発明に係る照明器具の分解斜視図を示す。
【図３】本発明に係る照明器具の、（ａ）正面図、（ｂ）右側面図を示す。
【図４】本発明に係る照明器具の動作説明図の正面図を示す。
【図５】本発明に係る照明器具灯具の下面図を示す。
【図６】本発明に係る、ランプを照明器具に装着した状態での正面要部断面図を示す。
【図７】本発明に係る、ランプを照明器具に装着した状態での灯具の要部断面側面図を示す。
【図８】本発明に係る、ランプを照明器具から取り外す状態での正面要部断面図を示す。
【図９】本発明に係る、ランプを照明器具から取り外す状態での灯具の要部断面側面図を示す。
【符号の説明】
１        ベース
３        支柱
４        ランプ
５        灯具
１３      ソケット
【図１】
0004300659.tif 000002
【図２】
0004300659.tif 000003
【図３】
0004300659.tif 000004
【図４】
0004300659.tif 000005
【図５】
0004300659.tif 000006
【図６】
0004300659.tif 000007
【図７】
0004300659.tif 000008
【図８】
0004300659.tif 000009
【図９】
0004300659.tif 000010